(57)【要約】【課題】簡単に製作できるうえに杭との接合部の強度を高めることが可能な杭の羽根板を提供する。【解決手段】木杭１の軸部１１より張り出される杭の羽根板２である。  そして、軸部１１より外形が大きな板部２１には、略中央に軸部１１と略同じ径の挿入穴２２が形成されるとともに、その挿入穴２２の縁部には板部２１の一部が折り曲げられた取付け片２３，・・・が設けられ、板部２１の一縁から中央に向けて延設された切込み２４を境に段差部２５が形成される。【選択図】図１
2010150753.tif 000002
【特許請求の範囲】
【請求項１】
杭の軸部より張り出される杭の羽根板であって、
前記軸部より外形が大きな板部には、略中央に前記軸部と略同じ径の挿入穴が形成されるとともに、その挿入穴の縁部には前記板部の一部が折り曲げられた折り曲げ片部が設けられ、前記板部の一縁から中央に向けて延設された切込みを境に段差部が形成されることを特徴とする杭の羽根板。
【請求項２】
前記折り曲げ片部は、前記挿入穴の大きさに合わせて放射状に切断された切断線を境に三角形状の前記板部の一部が起こされて形成されていることを特徴とする請求項１に記載の杭の羽根板。
【請求項３】
三角形状の前記折り曲げ片部の頂角が前記軸部側に折り曲げられた爪部が設けられることを特徴とする請求項２に記載の杭の羽根板。
【請求項４】
前記折り曲げ片部には、前記軸部に取り付けるための取付け穴が設けられていることを特徴とする請求項１乃至３のいずれか一項に記載の杭の羽根板。
【請求項５】
請求項１乃至４のいずれか一項に記載の杭の羽根板が、先端部に装着されたことを特徴とする杭。
【請求項６】
請求項１乃至４のいずれか一項に記載の杭の羽根板が、軸方向に間隔をおいて複数装着されたことを特徴とする杭。
【請求項７】
前記軸部は木質系であることを特徴とする請求項５又は６に記載の杭。
【請求項８】
セメント系固化材の内部に埋設されることを特徴とする請求項５乃至７のいずれか一項に記載の杭。
【請求項９】
前記軸部を囲繞する環状の締結材によって前記折り曲げ片部を前記軸部側に押し付けることを特徴とする請求項５乃至８のいずれか一項に記載の杭。
【発明の詳細な説明】
【技術分野】
【０００１】
本発明は、杭の軸部より張り出される杭の羽根板、及びそれが装着された杭に関するものである。
【背景技術】
【０００２】
従来、長方形や半円形の羽根板を鋼管杭の先端部に斜めに取り付けて、回転させながら地盤にねじ込んでいく羽根付き鋼管杭が知られている（特許文献１，２など参照）。
【０００３】
これらの羽根付き鋼管杭に装着される羽根板は、正方形や円形の鋼板を２分割することによって成形されるもので、簡単に製作することができる。
【０００４】
他方、特許文献３には、地盤に形成されたソイルセメント柱の中心に木杭を埋設することで、木質部の腐食を防いで耐用年数を延ばすことが可能な木杭が開示されている。
【特許文献１】特開平１１−１４０８７１号公報
【特許文献２】特開平１１−１４０８７０号公報
【特許文献３】特公平８−６３１８号公報
【発明の開示】
【発明が解決しようとする課題】
【０００５】
しかしながら、鋼板を切断しただけの従来の羽根板は、直交する杭の軸部に対してすみ肉溶接によって取り付けなければならず、線接触に近い状態になるため接合部が弱部になりやすい。
【０００６】
特に、羽根板は、杭が押し込み抵抗を期待される場合は杭を押し込む力の反作用として下方からの土圧を受け、杭が引き抜き抵抗を期待される場合は上方からの土圧を受けることによって、接合部には大きな曲げ応力が発生することになる。
【０００７】
そこで、本発明は、簡単に製作できるうえに杭との接合部の強度を高めることが可能な杭の羽根板、及びそれを備えた杭を提供することを目的としている。
【課題を解決するための手段】
【０００８】
前記目的を達成するために、本発明の杭の羽根板は、杭の軸部より張り出される杭の羽根板であって、前記軸部より外形が大きな板部には、略中央に前記軸部と略同じ径の挿入穴が形成されるとともに、その挿入穴の縁部には前記板部の一部が折り曲げられた折り曲げ片部が設けられ、前記板部の一縁から中央に向けて延設された切込みを境に段差部が形成されることを特徴とする。
【０００９】
例えば、前記折り曲げ片部は、前記挿入穴の大きさに合わせて放射状に切断された切断線を境に三角形状の前記板部の一部が起こされることによって形成することができる。さらに、三角形状の前記折り曲げ片部の頂角が前記軸部側に折り曲げられた爪部が設けられるものであってもよい。
【００１０】
また、前記折り曲げ片部には、前記軸部に取り付けるための取付け穴が設けられていてもよい。
【００１１】
さらに、本発明の杭は、上記羽根板が、先端部に装着されたことを特徴とする。また、上記羽根板が、軸方向に間隔をおいて複数装着されていてもよい。
【００１２】
さらに、前記軸部は木質系であってもよい。また、セメント系固化材の内部に杭が埋設されていてもよい。
【００１３】
また、前記軸部を囲繞する環状の締結材によって前記折り曲げ片部を前記軸部側に押し付けることもできる。
【発明の効果】
【００１４】
このように構成された本発明の杭の羽根板は、板部の略中央に挿入穴が形成されるとともに、その縁部に板部の一部を折り曲げた折り曲げ片部が設けられる。そして、板部の一縁から中央に向けて切込みを入れて段差をつけることによって羽根板が完成する。
【００１５】
このため、非常に簡単に製作することができる。また、折り曲げ片部が杭の挿入穴の縁部に設けられているので、杭との接触面積を充分に確保することができ、接合部の強度を高めることができる。
【００１６】
また、三角形状の折り曲げ片部の頂角を折り曲げた爪部を設けておけば、木質系の杭の軸部に爪部を突き刺すことで、容易かつ強固に羽根板を杭に固定することができる。
【００１７】
さらに、折り曲げ片部に取付け穴を設けることによって、ネジや釘などによって容易に杭に固定することができる。
【００１８】
そして、このような羽根板が先端部に装着された杭は、杭を回転させることによって小さな押し込み力で容易に地盤に貫入させることができる。
【００１９】
また、杭に複数の羽根板が装着されていれば、支持層などの一箇所だけでなく、中間層においても支持抵抗を確保することができる。
【００２０】
また、杭の軸部が木質系であれば、釘などによって容易に羽根板を固定することができる。
【００２１】
さらに、セメント系固化材の内部に杭を埋設することによって、杭とセメント系固化材とが複合した支持構造を構築することができる。特に、杭が木質系である場合は、セメント系固化材によって木杭の周囲を被覆することによって、杭の腐食を防ぐことができる。
【００２２】
また、軸部を囲繞する環状の締結材によって折り曲げ片部を軸部側に押し付けることで、回転貫入時の抵抗などによって折り曲げ片部が破損することを防ぐことができる。
【発明を実施するための最良の形態】
【００２３】
以下、本発明の最良の実施の形態について図面を参照して説明する。
【００２４】
図１は、本実施の形態の杭としての木杭１の構成を示した斜視図である。
【００２５】
この木杭１は、先端に向けて先細るテーパー柱状の木質系の軸部１１と、地盤にねじ込む際にその軸部１１の下方に位置する先端部１２と、その先端部１２の下部に形成される円錐状の突起部１３と、先端部１２に装着される軸部１１よりも外形が大きな羽根板２とから主に構成される。
【００２６】
また、羽根板２は、一辺が軸部１１の直径の1.5〜3.5倍程度となる正方形に成形された鋼板などの板部２１を加工して製作される。この板部２１には、木杭１の設計支持力の大きさによっても異なるが、例えば軸部１１の直径が35mm〜500mmに対して、羽根板２の平面視の一辺の長さが70mm〜1000mmとなるものが使用できる。
【００２７】
図２は、加工過程における羽根板２の平面図である。この羽根板２の略中央には、破線で示したように、軸部１１を挿入する八角形の挿入穴２２が最終的に形成される。
【００２８】
まず、この板部２１の一縁（図２では正方形の下辺）から中央に向けて切断した切込み２４が形成される。また、板部２１の中央には、挿入穴２２の径に合わせて放射状に切断した切断線２３ｃ，・・・が形成される。
【００２９】
そして、この切断線２３ｃ，・・・によって、８つの二等辺三角形の取付け片２３，・・・が形成される。この取付け片２３，・・・は、破線の位置で折り曲げられて折り曲げ片部となる。
【００３０】
また、この取付け片２３，・・・には、それぞれ釘２３ｂを挿入する取付け穴２３ａ，・・・が穿孔される。ここで、本実施の形態では、三角形状の取付け片２３の内角近傍に、それぞれ取付け穴２３ａ，２３ａ，２３ａを穿孔した場合について説明するが、これに限定されるものではなく、一つの取付け片２３に設ける取付け穴２３ａは、略中央に一箇所、間隔をおいて２箇所など任意の数及び位置に設けることができる。
【００３１】
このようにして所定の箇所が切断された板部２１は、例えばすべての取付け片２３，・・・を同じ向きに起立させる。この取付け片２３，・・・を起立させる方向は、図１に示すように、軸部１１に羽根板２を装着した際に下方になる向きにすることができる。
【００３２】
また、切込み２４を境にして、両側の板部２１を上方と下方にそれぞれ折り曲げて段差部２５を形成する。なお、段差部２５は、一方を下方又は上方に折り曲げて他方はそのままにする、双方とも同じ方向に大きさを変えて折り曲げる、などしても形成することができる。すなわち、このような段差部２５は、木杭１を回転させた際に、羽根板２が地盤に食い込むような形状に成形されていればよい。
【００３３】
そして、羽根板２の挿入穴２２に木杭１の先端部１２を通し、取付け片２３，・・・を木杭１の軸部１１の周面に当接させ、釘２３ｂ，・・・を取付け穴２３ａ，・・・から軸部１１に向けて打込むことによって、羽根板２を木杭１に固定する。
【００３４】
次に、本実施の形態の木杭１の作用について説明する。
【００３５】
このように構成された本実施の形態の木杭１の羽根板２は、板部２１の略中央に挿入穴２２が形成されるとともに、その縁部に板部２１の一部を折り曲げた取付け片２３，・・・が設けられる。
【００３６】
そして、板部２１の一縁から中央に向けて切込み２４を入れて、その切込み２４を境に段差部２５を設けることによって羽根板２が完成する。
【００３７】
このように鋼板の切断と折り曲げ加工によって羽根板２を製作できるので、高度な加工をおこなう必要がないうえに、作業工程が少なく簡単である。
【００３８】
また、取付け片２３，・・・が木杭１を挿入する挿入穴２２の縁部に複数、設けられているので、木杭１の軸部１１との接触面積を充分に確保することができ、接合部の強度を高めることができる。
【００３９】
例えば、木杭１は、ビニールハウスの支柱、看板の基礎などの小規模の基礎を構築する際に使用されることが多く、その場合には引き抜き抵抗が期待される。
【００４０】
ここで、取付け片２３，・・・が、軸部１１に装着した際に下方になる向きに折り曲げられていれば、木杭１に引張り力が作用して上方から羽根板２が反るような土圧が作用することによって挿入穴２２の周辺に大きな曲げモーメントが発生しても、取付け片２３，・・・が抵抗になって板部２１の折れ曲がりを防ぐことができる。
【００４１】
また、テーパー柱状の木杭１の場合、取付け片２３が下向きに設けられている方が、羽根板２を突起部１３側から容易に装着することができる。
【００４２】
さらに、取付け片２３に取付け穴２３ａを設けることによって、釘２３ｂやネジやなどによって容易に羽根板２を木杭１に固定することができる。特に、木杭１の軸部１１が木質系であれば、釘２３ｂを打込むことができるので、迅速かつ容易に羽根板２を木杭１に固定することができる。
【００４３】
そして、このような羽根板２が先端部１２に装着された木杭１は、軸部１１を回転させることによって羽根板２を地盤に食い込ませて推進させることができるので、小さな押し込み力で容易に地盤に貫入させることができる。
【００４４】
さらに、角部のある四角形の羽根板２を使うことによって、地盤への食い込みを良くすることができる。
【００４５】
また、間伐材を軸部１１にして木杭１とすることで、間伐材の有効利用が図れる。さらに間伐材が有効利用されることで、林業の発展を助け、森林の保護、育成を促し、地球環境の保護に貢献することができる。
【実施例１】
【００４６】
以下、前記した実施の形態とは別の形態の実施例１について図３を参照しながら説明する。なお、前記実施の形態で説明した内容と同一乃至均等な部分の説明については同一符号を付して説明する。
【００４７】
この実施例１では、前記実施の形態で説明した羽根板２とは別の形態の羽根板３２について説明する。
【００４８】
この羽根板３２は、一辺が軸部１１の直径の1.5〜3.5倍程度となる正方形に成形された板部３２１を加工して製作される。この板部３２１には、前記実施の形態で説明したのと同様の鋼板が使用できる。
【００４９】
そして、図３は、加工過程における羽根板３２の平面図である。この羽根板３２の略中央には、破線で示したように、軸部１１を挿入する八角形の挿入穴３２２が最終的に形成される。
【００５０】
まず、この板部３２１の一縁（図３では正方形の下辺）から中央に向けて切断した切込み３２４が形成される。また、板部３２１の中央には、挿入穴３２２と同心円であって、それよりも径が小さい貫通穴３２５が穿孔されている。
【００５１】
さらに、貫通穴３２５と挿入穴３２２との間にある環状部分には、挿入穴３２２の径に合わせて放射状に切断した切断線３２７，・・・が形成される。
【００５２】
そして、この切断線３２７，・・・によって８つの略台形の取付け片３２３，・・・が形成される。この取付け片３２３，・・・は、破線の位置で折り曲げられて折り曲げ片部となる。
【００５３】
また、この取付け片３２３，・・・には、それぞれ釘２３ｂを挿入する取付け穴３２６，・・・が穿孔される。この実施例１では、略台形状の取付け片３２３の中央に間隔をおいて２箇所の取付け穴３２６，３２６を設けた場合について説明するが、取付け穴３２６の数及び位置を任意に設定できることは前記実施の形態で説明した通りである。
【００５４】
このようにして所定の箇所が切断された板部３２１は、すべての取付け片３２３，・・・を同じ向きに起立させる。この取付け片３２３，・・・を起立させる方向は、例えば軸部１１に羽根板３２を装着した際に上方になる向きとする。
【００５５】
また、切込み３２４を境にして、両側の板部３２１を上方と下方にそれぞれ折り曲げて段差部を形成する。
【００５６】
そして、羽根板３２の挿入穴３２２に木杭１の先端部１２を通し、取付け片３２３，・・・を木杭１の軸部１１の周面に当接させ、釘２３ｂ，・・・を取付け穴３２６，・・・から軸部１１に向けて打込むことによって、羽根板３２を木杭１に固定する。
【００５７】
このように板部３２１に貫通穴３２５を設けてから取付け片３２３，・・・を形成することで、取付け片３２３，・・・に鋭角部が形成されず、木杭１が上方に向けてテーパー状に広がっていても、突起部１３側から容易に装着することができる。
【００５８】
また、取付け片３２３，・・・が、軸部１１に装着した際に上方になる向きに折り曲げられていれば、木杭１に押込み力が作用して下方から羽根板３２が反り上がるような土圧が作用することによって挿入穴３２２の周辺に大きな曲げモーメントが発生しても、取付け片３２３，・・・が抵抗になって板部３２１の折れ曲がりを防ぐことができる。
【００５９】
なお、他の構成及び作用効果については、前記実施の形態と略同様であるので説明を省略する。
【実施例２】
【００６０】
以下、前記した実施の形態とは別の形態の実施例２について図４を参照しながら説明する。なお、前記実施の形態で説明した内容と同一乃至均等な部分の説明については同一符号を付して説明する。
【００６１】
この実施例２では、前記実施の形態で説明した羽根板２が装着された木杭１の使用方法の一例について説明する。すなわち、前記実施の形態で説明した木杭１は、地盤５に直接、押し込むことで設置することができるが、水没していない木質系の軸部１１は腐食しやすいため、別途、防食処理をおこなう必要がある。
【００６２】
この実施例２では、このような木杭１の周囲をセメント系固化材としてのソイルセメントによって被覆することで防食をおこなうこととする。なお、セメント系固化材はソイルセメントに限定されるものではなく、モルタル、発泡モルタル、コンクリート、流動化処理土などであってもよい。
【００６３】
まず、オーガー掘削機などを使って、地盤５にセメントミルクを注入しながら掘削、撹拌し、円柱状のソイルセメント柱４を構築する。そして、このソイルセメント柱４が硬化する前に、木杭１をその内部に埋設する。
【００６４】
すなわち、この木杭１の先端部１２には、羽根板２が装着されており、軸部１１を回転させると羽根板２がソイルセメント柱４に食い込んでいき、下方に向けて推進していく。
【００６５】
また、ソイルセメントが硬化するまでは浮力が発生することになるが、羽根板２が抵抗になって木杭１の浮き上がりを防ぐことができる。
【００６６】
このようにソイルセメント柱４の内部に木杭１を埋設することによって、木杭１と改良体とが複合された支持力の大きな支持構造を構築することができる。
【００６７】
また、通常の地盤５の中では腐食しやすい木質系の木杭１であっても、ソイルセメントによって周囲を被覆することで、木杭１の腐食を防ぐことができる。
【００６８】
なお、他の構成及び作用効果については、前記実施の形態又は他の実施例と略同様であるので説明を省略する。
【実施例３】
【００６９】
以下、前記した実施の形態とは別の形態の実施例３について図５を参照しながら説明する。なお、前記実施の形態で説明した内容と同一乃至均等な部分の説明については同一符号を付して説明する。
【００７０】
この実施例３で説明する杭は鋼管杭６である。また、羽根板２の構成は、前記実施の形態で説明した構成と同じであるため、説明を省略する。
【００７１】
この鋼管杭６は、円筒状の軸部６１と、羽根板２を装着する先端部６２と、下端を切り欠いて形成される刃部６３とを備えている。
【００７２】
また、羽根板２は、折り曲げ片部としての取付け片２３，・・・の取付け穴２３ａ，・・・にネジ（図示省略）を挿入して、軸部６１側に設けられたネジ穴にねじ込むことによって鋼管杭６に固定される。
【００７３】
なお、ネジを使用せず、取付け片２３，・・・の縁部を溶接することで、鋼管杭６に羽根板２を固定することもできる。このように溶接で接合する場合は、取付け穴２３ａを設ける必要はない。
【００７４】
ここで、鋼管杭６に装着する羽根板２の大きさについて例示すると、前記実施の形態で説明した形状に加えて、軸部６１の直径が600mm〜1200mmに対して羽根板２の平面視の一辺の長さが1200mm〜2400mmとなるようなものも使用できる。
【００７５】
このように鋼管杭６に装着する羽根板２であっても、鋼板を加工することで容易に製作することができる。そして、取付け片２３，・・・と鋼管杭６の軸部６１とが広い面積で接触するので、接合部の強度を高めることができる。
【００７６】
また、曲げモーメントが最大になる軸部６１との境界において、取付け片２３，・・・が抵抗になるため、羽根板２の板部２１に反りが発生することを防ぐことができる。
【００７７】
なお、他の構成及び作用効果については、前記実施の形態又は他の実施例と略同様であるので説明を省略する。
【実施例４】
【００７８】
以下、前記した実施の形態及び実施例とは別の形態の実施例４について図６を参照しながら説明する。なお、前記実施の形態及び実施例で説明した内容と同一乃至均等な部分の説明については同一符号を付して説明する。
【００７９】
この実施例４では、鋼管杭６の軸方向に間隔をおいて複数の羽根板２Ａ，２Ｂが装着される場合について説明する。
【００８０】
この羽根板２Ａ，２Ｂは、前記実施の形態で説明した羽根板２と略同じ構成であり、各取付け片２３の中央に穿孔された２つの取付け穴２３ａ，２３ａにはネジ２３ｄ，２３ｄが挿入される。
【００８１】
また、一方の羽根板２Ａは、前記実施例３と同様に鋼管杭６の先端部６２に装着され、他方の羽根板２Ｂはそれよりも上方の軸部６１に装着されている。
【００８２】
このように軸部６１の途中に羽根板２Ｂを装着することによって、地盤５の中間層に硬い地盤が存在する場合に、その中間層からも大きな支持力を得ることができる。
【００８３】
また、鋼管杭６に複数の羽根板２Ａ，２Ｂを装着することによって、支持力を増大させることができるうえに、支持点が分散されて応力の集中を抑えることができる。
【００８４】
なお、他の構成及び作用効果については、前記実施の形態又は他の実施例と略同様であるので説明を省略する。
【実施例５】
【００８５】
以下、前記した実施の形態とは別の形態の実施例５について図７を参照しながら説明する。なお、前記実施の形態及び実施例で説明した内容と同一乃至均等な部分の説明については同一符号を付して説明する。
【００８６】
この実施例５では、釘２３ｂやネジ２３ｄ以外の方法で、羽根板２Ｃを杭に固定する方法について説明する。
【００８７】
この羽根板２Ｃは、取付け片２３に取付け穴２３ａが設けられていない点を除いては前記実施の形態で説明した羽根板２と同じであり、同様の方法で製作される。そして、この実施例５では、杭としての木杭１の軸部１１の先端部１２に、この羽根板２Ｃを装着する方法について説明する。
【００８８】
まず、羽根板２Ｃの挿入穴２２に木杭１の先端部１２を通し、取付け片２３，・・・を木杭１の軸部１１の周面に当接させる。
【００８９】
そして、例えば金属製の締付けベルト２６を取付け片２３，・・・の外周から巻き付けて、軸部１１を囲繞する環状の締結材にする。すなわち、締付けベルト２６によって取付け片２３，・・・が軸部１１側に押し付けられ、羽根板２Ｃが木杭１に固定されることになる。
【００９０】
このように、軸部１１を囲繞する環状の締付けベルト２６によって取付け片２３，・・・を軸部１１側に押し付けておけば、回転貫入時のトルクによって取付け片２３，・・・が木杭１の周面から引き剥がされるような力を地盤などから受けても、取付け片２３，・・・は周面に押え付けられたままで破損してしまうことがない。
【００９１】
なお、この実施例５では、締付けベルト２６のみによって羽根板２Ｃを木杭１に固定する場合について説明したが、これに限定されるものではなく、取付け片２３に取付け穴２３ａを設けて釘２３ｂやネジ２３ｄなどによる固定を併用してもよい。
【００９２】
なお、他の構成及び作用効果については、前記実施の形態又は他の実施例と略同様であるので説明を省略する。
【実施例６】
【００９３】
以下、前記した実施の形態とは別の形態の実施例６について図８を参照しながら説明する。なお、前記実施の形態及び実施例で説明した内容と同一乃至均等な部分の説明については同一符号を付して説明する。
【００９４】
この実施例８では、折り曲げ片部としての取付け片２３の先端に爪部２７が設けられた羽根板２Ｄについて説明する。
【００９５】
図８（ａ）は、加工過程における羽根板２Ｄの平面図である。この羽根板２Ｄの略中央には、破線で示したように、木杭１の軸部１１を挿入する八角形の挿入穴２２が最終的に形成される。
【００９６】
まず、この板部２１の一縁（図８（ａ）では正方形の下辺）から中央に向けて切断した切込み２４が形成される。また、板部２１の中央には、挿入穴２２の径に合わせて放射状に切断した切断線２３ｃ，・・・が形成される。
【００９７】
そして、この切断線２３ｃ，・・・によって、８つの二等辺三角形の取付け片２３，・・・が形成される。この取付け片２３，・・・は、破線（２２）の位置で折り曲げられて折り曲げ片部となる。
【００９８】
また、この取付け片２３，・・・は、挿入穴２２のさらに中心側の八角形の折線２７ａで折り曲げられ、爪部２７，・・・が形成される。すなわち、図８（ｂ）に示すように、二等辺三角形の取付け片２３の頂角を挿入穴２２の中心側に折り曲げると、取付け片２３と相似形の二等辺三角形の爪部２７が形成されることになる。
【００９９】
このように形成された爪部２７は、羽根板２Ｄの挿入穴２２に木杭１を挿通した際に軸部１１側を向いており、木質系の木杭１であれば軸部１１に爪部２７を突き刺すことができる。
【０１００】
このように爪部２７，・・・を軸部１１に突き刺すだけで羽根板２Ｄを木杭１に装着できれば、取り付けが簡単である。また、取付け片２３，・・・の先端が軸部１１に埋設されることで、取付け片２３，・・・が軸部１１の周面から剥がれ難くなって、強固に羽根板２Ｄを固定することができる。
【０１０１】
なお、この実施例６では、爪部２７，・・・のみによって羽根板２Ｄを木杭１に固定する場合について説明したが、これに限定されるものではなく、実施例５で説明した締付けベルト２６を併用したり、取付け片２３に取付け穴２３ａを設けて釘２３ｂやネジ２３ｄなどによる固定を併用したりすることによって、より強固な固定をおこなうことができる。
【０１０２】
なお、他の構成及び作用効果については、前記実施の形態又は他の実施例と略同様であるので説明を省略する。
【０１０３】
以上、図面を参照して、本発明の最良の実施の形態及び実施例を詳述してきたが、具体的な構成は、この実施の形態及び実施例に限らず、本発明の要旨を逸脱しない程度の設計的変更は、本発明に含まれる。
【０１０４】
例えば、前記実施の形態及び実施例１−３では、先端部１２，６２に羽根板２，３２を装着する場合について説明したが、これに限定されるものではなく、軸部１１，６１の途中に装着することもできる。
【０１０５】
また、前記実施の形態及び実施例では、羽根板２，３２は四角形のものについて説明したが、これに限定されるものではなく、六角形や八角形などの多角形や円形の板を加工して製作することもできる。
【０１０６】
さらに、前記実施の形態及び実施例では、取付け片２３，３２３をすべて同一方向に折り曲げたが、これに限定されるものではなく、上下交互に折り曲げてもよい。
【０１０７】
また、前記実施例４では、鋼管杭６に２枚の羽根板２Ａ，２Ｂを装着する場合について説明したが、これに限定されるものではなく、３枚以上の羽根板２を装着することもできる。さらに、木杭１に複数の羽根板２を装着してもよい。
【０１０８】
また、前記実施例５で説明した締付けベルト２６は、鋼管杭６に羽根板を装着する際にも使用できる。
【図面の簡単な説明】
【０１０９】
【図１】本発明の最良の実施の形態の木杭の構成を説明する斜視図である。
【図２】本発明の最良の実施の形態の羽根板を加工する工程を説明する平面図である。
【図３】実施例１の羽根板を加工する工程を説明する平面図である。
【図４】実施例２のソイルセメント柱に埋設される木杭の構成を説明する断面図である。
【図５】実施例３の鋼管杭の構成を説明する斜視図である。
【図６】実施例４の鋼管杭の構成を説明する斜視図である。
【図７】実施例５の木杭の構成を説明する斜視図である。
【図８】（ａ）は実施例６の羽根板を加工する工程を説明する平面図、（ｂ）は取付け片の先端の爪部の構成を説明する斜視図である。
【符号の説明】
【０１１０】
１              木杭（杭）
１１            軸部
１２            先端部
２，３２，２Ａ−２Ｄ  羽根板
２１，３２１    板部
２２，３２２    挿入穴
２３，３２３    取付け片（折り曲げ片部）
２３ａ，３２６  取付け穴
２３ｃ，３２７  切断線
２５            段差部
２６            締付けベルト（締結材）
２７            爪部
４              ソイルセメント柱（ソイルセメント）
６              鋼管杭（杭）
６１            軸部
６２            先端部
【図１】
2010150753.tif 000003
【図２】
2010150753.tif 000004
【図３】
2010150753.tif 000005
【図４】
2010150753.tif 000006
【図５】
2010150753.tif 000007
【図６】
2010150753.tif 000008
【図７】
2010150753.tif 000009
【図８】
2010150753.tif 000010